(57)【要約】【課題】過去に放送された番組の予約を容易に行うことができる放送番組予約方法及び放送番組予約装置を提供する。【解決手段】放送番組の視聴又は録画を予約する放送番組予約方法であって、放送予定番組情報を取得するステップと、過去番組情報蓄積期間を設定するステップと、取得した放送予定番組情報の内の、過去番組情報蓄積期間内に放送済みとなった番組に関する情報を過去番組情報として蓄積するステップと、蓄積された過去番組情報を表示させるステップ（Ｓ２）と、表示された過去番組情報から仮予約番組を選択して指定するステップ（Ｓ３〜Ｓ５）と、仮予約番組が所定の要件を満たす場合に、仮予約を本予約として登録するステップとを有する。【選択図】      図１
2006279120.tif 000002
【特許請求の範囲】
【請求項１】
放送番組の視聴又は録画を予約する放送番組予約方法において、
放送予定番組情報を取得するステップと、
過去番組情報蓄積期間を設定するステップと、
前記取得した放送予定番組情報の内の、前記過去番組情報蓄積期間内に放送済みとなった放送番組に関する情報を過去番組情報として蓄積するステップと、
前記蓄積された過去番組情報を表示させるステップと、
前記表示された過去番組情報に基づいて仮予約番組を指定するステップと、
前記仮予約番組の番組情報が所定の要件を満たす場合に、前記仮予約番組を本予約番組として登録するステップと
を有することを特徴とする放送番組予約方法。
【請求項２】
前記所定の要件を満たす場合は、前記仮予約番組の番組情報の中に再放送又は次回放送の日時情報があり、かつ、前記日時情報が現在時刻を過ぎていない場合であることを特徴とする請求項１に記載の放送番組予約方法。
【請求項３】
前記所定の要件を満たす場合は、前記仮予約番組の番組情報の中に再放送又は次回放送の日時情報があり、かつ、前記日時情報が現在時刻を過ぎているが、前記現在時刻を過ぎている放送番組の番組情報を再取得し、前記現在時刻を過ぎている放送番組を新たな仮予約番組としたときに、前記新たな仮予約番組の番組情報の中に再放送又は次回放送の日時情報があり、かつ、前記日時情報が現在時刻を過ぎていない場合であることを特徴とする請求項１に記載の放送番組予約方法。
【請求項４】
前記所定の要件を満たす場合は、前記仮予約番組の指定時に既に取得済みの放送予定番組情報又は前記仮予約番組の指定後に取得した放送予定番組情報の中に、前記仮予約番組の番組情報と所定の共通点を持つ放送番組がある場合であることを特徴とする請求項１に記載の放送番組予約方法。
【請求項５】
前記所定の要件を満たす場合は、前記仮予約番組の番組情報の中に再放送又は次回放送の日時情報がなく、かつ、前記仮予約番組の指定時に既に取得済みの放送予定番組情報又は前記仮予約番組の指定後に取得した放送予定番組情報の中に、前記仮予約番組の番組情報と所定の共通点を持つ放送番組がある場合であることを特徴とする請求項１に記載の放送番組予約方法。
【請求項６】
前記仮予約番組の番組情報と所定の共通点を持つ放送番組は、前記仮予約番組の番組タイトルを構成する文字列と同じ文字列を含む番組タイトルを持つ再放送番組、次回放送番組、及び、関連番組の内の少なくとも１つを含むことを特徴とする請求項４又は５のいずれかに記載の放送番組予約方法。
【請求項７】
前記仮予約番組の保持期限を設定するステップと、
前記保持期限が過ぎた仮予約番組についての仮予約情報を消去するステップと
をさらに有することを特徴とする請求項１から６までのいずれかに記載の放送番組予約方法。
【請求項８】
前記仮予約番組を本予約番組として登録したことを使用者に通知するステップをさらに有することを特徴とする請求項１から７までのいずれかに記載の放送番組予約方法。
【請求項９】
放送番組の視聴又は録画を予約する放送番組予約装置において、
放送予定番組情報を取得する放送予定番組情報取得手段と、
過去番組情報蓄積期間を設定する過去番組情報蓄積期間設定手段と、
前記放送予定番組情報が蓄積され、また、前記取得した放送予定番組情報の内の、前記過去番組情報蓄積期間内に放送済みとなった番組に関する情報が過去番組情報として蓄積される記憶手段と、
前記蓄積された過去番組情報を表示させる映像処理手段と、
前記表示された過去番組情報に基づいて仮予約番組を指定する仮予約番組指定手段と、
前記仮予約番組の番組情報が所定の要件を満たす場合に、前記仮予約番組を本予約番組として登録する制御手段と
を有することを特徴とする放送番組予約装置。
【請求項１０】
前記所定の要件を満たす場合は、前記仮予約番組の番組情報の中に再放送又は次回放送の日時情報があり、かつ、前記日時情報が現在時刻を過ぎていない場合であることを特徴とする請求項９に記載の放送番組予約装置。
【請求項１１】
前記所定の要件を満たす場合は、前記仮予約番組の番組情報の中に再放送又は次回放送の日時情報があり、かつ、前記日時情報が現在時刻を過ぎているが、前記現在時刻を過ぎている放送番組の番組情報を再取得し、前記現在時刻を過ぎている放送番組を新たな仮予約番組としたときに、前記新たな仮予約番組の番組情報の中に再放送又は次回放送の日時情報があり、かつ、前記日時情報が現在時刻を過ぎていない場合であることを特徴とする請求項９に記載の放送番組予約装置。
【請求項１２】
前記所定の要件を満たす場合は、前記仮予約番組の指定時に既に取得済みの放送予定番組情報又は前記仮予約番組の指定後に取得した放送予定番組情報の中に、前記仮予約番組の番組情報と所定の共通点を持つ放送番組がある場合であることを特徴とする請求項９に記載の放送番組予約装置。
【請求項１３】
前記所定の要件を満たす場合は、前記仮予約番組の番組情報の中に再放送又は次回放送の日時情報がなく、かつ、前記仮予約番組の指定時に既に取得済みの放送予定番組情報又は前記仮予約番組の指定後に取得した放送予定番組情報の中に、前記仮予約番組の番組情報と所定の共通点を持つ放送番組がある場合であることを特徴とする請求項９に記載の放送番組予約装置。
【請求項１４】
前記仮予約番組の番組情報と所定の共通点を持つ放送番組は、前記仮予約番組の番組タイトルを構成する文字列と同じ文字列を含む番組タイトルを持つ再放送番組、次回放送番組、及び、関連番組の内の少なくとも１つを含むことを特徴とする請求項１２又は１３のいずれかに記載の放送番組予約装置。
【請求項１５】
前記仮予約番組の保持期限を設定する保持期限設定手段を有し、
前記制御手段は、前記保持期限が過ぎた仮予約番組についての仮予約情報を消去する
ことを特徴とする請求項９から１４までのいずれかに記載の放送番組予約装置。
【請求項１６】
前記仮予約番組を本予約番組として登録したことを使用者に通知する通知手段をさらに有することを特徴とする請求項９から１５までのいずれかに記載の放送番組予約装置。
【請求項１７】
請求項９から１６までのいずれか１項に記載の放送番組予約装置を有することを特徴とするデジタル放送受信装置。
【請求項１８】
請求項９から１６までのいずれか１項に記載の放送番組予約装置と、
映像信号を記録・再生する手段と
を有することを特徴とする映像記録再生装置。
【請求項１９】
請求項９から１６までのいずれか１項に記載の放送番組予約装置と、
映像信号に基づく映像を表示する手段と
を有することを特徴とする映像表示装置。
【発明の詳細な説明】
【技術分野】
【０００１】
本発明は、例えば、デジタル放送における放送番組の視聴又は録画を予約する放送番組予約方法及び放送番組予約装置、並びに、この放送番組予約方法又は装置を適用した、デジタル放送受信装置、映像記録再生装置、及び映像表示装置に関するものである。
【背景技術】
【０００２】
一般に、デジタル放送においては、映像信号、音声信号、及びデータが多重化して送信される。この多重信号に含まれる多数の番組、多種類のサービスの中には、視聴者が希望する番組を選択するために利用する番組配列情報（ＳＩ：Ｓｅｒｖｉｃｅ  Ｉｎｆｏｒｍａｔｉｏｎ）が含まれている。ＳＩは、ＳＤＴ（Ｓｅｒｖｉｃｅ  Ｄｅｓｃｒｉｐｔｉｏｎ  Ｔａｂｌｅ）、ＥＩＴ（Ｅｖｅｎｔ  Ｉｎｆｏｒｍａｔｉｏｎ  Ｔａｂｌｅ）、ＢＡＴ（Ｂｏｕｑｕｅｔ  Ａｓｓｏｃｉａｔｉｏｎ  Ｔａｂｌｅ）、及びＴＤＴ（Ｔｉｍｅ  Ｄａｔｅ  Ｔａｂｌｅ）の４つのテーブルから構成されている。ＳＤＴには、編成チャンネルの名称、事業者名、サービス形式（テレビ、音声、データ）に関する情報が含まれている。ＥＩＴには、番組タイトル及び番組の簡単な内容、番組の詳細内容、番組を構成している各コンポーネントの情報（映像品質、アスペクト比、音声がステレオ音声であるか及びサラウンド音声であるか等）、番組のジャンルに関する情報が含まれている。ＢＡＴには、ブーケ（同じ事業者が送信する複数のサービスの集合）として構成する編成チャンネルとサービス形式に関する情報が含まれている。ＴＤＴには、現在時刻と日付に関する情報が含まれている。このように、ＳＩによって番組についての様々な情報が提供されているので、番組情報を電子番組ガイド（ＥＰＧ：Ｅｌｅｃｔｒｏｎｉｃ  Ｐｒｏｇｒａｍ  Ｇｕｉｄｅ）として、画面上に所望のレイアウトで表示させることができる。
【０００３】
放送番組予約に際しては、現在時刻を含めた一定期間の放送予定番組について、番組タイトル等を一覧表化した番組リストを表示させ、予約したい番組タイトルを選択して指定する方法が一般的である。しかし、番組リストに表示される番組は、常に現在以降の放送予定番組であり、過去に放送された番組は表示できなかった。このため、過去に放送された（見逃した、録画しなかった、又は、再度視聴を希望する）番組が、再放送されるのかどうかを調べて予約する場合には、番組タイトルは何か、再放送日時はいつか、他の放送局による再放送はあるか、再放送を行う他の放送局はどこか、他の放送局による再放送日時はいつか、過去に放送された番組の次回放送番組（連続番組の場合）はあるか、等を知るためには、大きな手間と時間が必要となった。
【０００４】
この改善策として、番組の視聴中に、リモコンの次回放送番組予約用キーを押すことにより、次回放送番組又は再放送番組の再生／録画予約の設定を行う技術の提案がある（例えば、特許文献１参照）。
【０００５】
【特許文献１】特開平１０−２００８６５号公報
【発明の開示】
【発明が解決しようとする課題】
【０００６】
しかしながら、上記した従来の予約方法は、番組の視聴中に予約設定を行うものであり、過去に放送された番組についての予約方法ではなかった。このため、過去に放送された番組の再放送番組又は次回放送番組について予約をする場合には、再放送はあるか、番組タイトルは何か、再放送日時はいつか、他の放送局による再放送はあるか、再放送を行う他の放送局はどこか、他の放送局による再放送日時はいつか、次回放送番組（連続番組の場合）はあるか、等を知るためには、大きな手間と時間を費やさなければならないという問題があった。
【０００７】
そこで、本発明は、上記したような従来技術の課題を解決するためになされたものであり、その目的は、過去に放送された番組の予約を容易に行うことができる放送番組予約方法及び放送番組予約装置、並びに、この放送番組予約方法又は装置を適用した、デジタル放送受信装置、映像記録再生装置、及び映像表示装置を提供することである。
【課題を解決するための手段】
【０００８】
本発明の放送番組予約方法は、放送番組の視聴又は録画を予約する方法であって、放送予定番組情報を取得するステップと、過去番組情報蓄積期間を設定するステップと、前記取得した放送予定番組情報の内の、前記過去番組情報蓄積期間内に放送済みとなった放送番組に関する情報を過去番組情報として蓄積するステップと、前記蓄積された過去番組情報を表示させるステップと、前記表示された過去番組情報に基づいて仮予約番組を指定するステップと、前記仮予約番組の番組情報が所定の要件を満たす場合に、前記仮予約番組を本予約番組として登録するステップとを有することを特徴としている。
【０００９】
また、本発明の放送番組予約装置は、放送番組の視聴又は録画を予約する装置であって、放送予定番組情報を取得する放送予定番組情報取得手段と、過去番組情報蓄積期間を設定する過去番組情報蓄積期間設定手段と、前記放送予定番組情報が蓄積され、また、前記取得した放送予定番組情報の内の、前記過去番組情報蓄積期間内に放送済みとなった番組に関する情報が過去番組情報として蓄積される記憶手段と、前記蓄積された過去番組情報を表示させる映像処理手段と、前記表示された過去番組情報に基づいて仮予約番組を指定する仮予約番組指定手段と、前記仮予約番組の番組情報が所定の要件を満たす場合に、前記仮予約番組を本予約番組として登録する制御手段とを有することを特徴としている。
【発明の効果】
【００１０】
本発明によれば、既に放送済みの番組の番組情報を蓄積しておき、蓄積しておいた過去番組情報を表示させ、表示情報に基づいて仮予約番組を指定し、仮予約番組が所定の要件を満たす場合に、仮予約を予約動作の実行が確定して本予約に変更して、予約動作を実行する。このため、例えば、見逃した番組、録画しなかった番組、又は、再度視聴を希望する番組等のような過去に放送された番組の予約を容易に行うことができるという効果が阿ある。
【発明を実施するための最良の形態】
【００１１】
図１は、本発明の実施の形態に係る放送番組予約方法を実行することができるデジタル放送受信装置（すなわち、本発明の実施の形態に係る放送番組予約装置を含むデジタル放送受信装置）の構成を示すブロック図である。
【００１２】
図１に示されるデジタル放送受信装置は、本発明の実施の形態に係る放送番組予約方法を実行することができる装置の一例に過ぎず、本発明の実施の形態に係る放送番組予約方法を実行できる装置としては、映像記録再生装置、映像表示装置（テレビ）、又はパーソナルコンピュータ（ＰＣ）等も含まれる。
【００１３】
図１に示されるデジタル放送受信装置は、放送波を受信する受信アンテナ１と、復調処理部２と、デスクランブル／デマルチプレクサ処理部３と、映像・音声デコード処理部４と、グラフィック生成・重畳部５と、映像処理部６と、ディスプレイ装置７と、音声処理部８と、スピーカ９と、番組情報等を記憶する第１の記憶部１０と、映像及び音声データを記憶する第２の記憶部１１と、主制御部１２と、時計処理部１３と、自己発行メール処理部１４と、リモコン処理部１５と、リモコン１６とを有している。
【００１４】
放送局から送信された放送波は受信アンテナ１によって受信された後、復調処理部２に送られる。復調処理部２は、受信した放送波に対し復調処理を行い、復調信号をデスクランブル／デマルチプレクサ処理部３に送る。デスクランブル／デマルチプレクサ処理部３は、復調信号のスクランブル解除、並びに、映像データ、音声データ、他のデータ等の分離を行う。分離された映像、音声データは、映像・音声デコード処理部４に送られる。映像・音声デコード処理部４は、映像、音声データの各々にＭＰＥＧ２デコード処理を施す。次に、蓄積されている現在時刻以降の番組情報のデータは、主制御部１２を介して、グラフィック生成・重畳部５に送られ、番組リスト化された電子番組表が生成されデコードされた映像データに重畳される。
【００１５】
電子番組表が重畳された映像データは、映像処理部６にて予め選択設定された映像フォーマットに変換された後、ディスプレイ装置７に送られ、ディスプレイ装置７において映像が表示される。デコードされた音声データは、音声処理部８に送られアナログ音声信号に変換された後、スピーカ９から音声出力される。
【００１６】
装置の使用者が番組予約を行う際には、映像データに重畳された現在時刻以降の番組（すなわち、放送予定番組）がリスト化されている電子番組表を閲覧し、リモコン１６操作等によって予約したい番組を選択指定することで、予約番組が決定される。予約開始時間が計時処理部１３にて管理されている現在時刻と一致すると、視聴予約又は録画予約を実行し、視聴又は録画動作が開始される。また、予約終了時間が計時処理部１３にて管理されている現在時刻と一致すると、視聴又は録画動作が終了される。また、録画予約が実施された場合は、映像、音声データは、第２の記憶部１１に順次蓄積されていく。以上が、通常の予約動作である。
【００１７】
次に、本発明における放送番組予約方法を説明する。既に説明したように、映像、音声データと共に送られてくる現在時刻以降の番組情報は、第１の記憶部１０に順次蓄積されていく。この際、現在時刻以前の終了した番組に関する番組情報については、予め装置の使用者によって設定された過去番組情報保持期間に従い、第１の記憶部１０に一定期間保持しておく。過去番組情報保持期間を、例えば、１ヶ月と指定すれば、現在時刻から１ヶ月前の時点までの過去番組情報を保持し、現在時刻から１ヶ月前を超える古い過去番組情報を自動的に削除する。
【００１８】
装置の使用者が以前見逃してしまった番組（又は以前に見たが再度見たい番組、又は、以前に録画しなかった番組）があった場合、リモコン１６の見逃し番組予約キーを押すことにより、リモコン１６からの信号を、リモコン処理部１５にて受け、その見逃し番組予約キーを判別し、主制御部１２に伝える。これにより、主制御部１２は、第１の記憶部１０に対し過去の番組情報が格納されている第１の記憶部１０のエリアに対しデータを呼び出し、グラフィック生成・重畳部５に対し過去の番組情報を送り、過去の番組リストを生成させ映像データに重畳し、装置の使用者が閲覧できるように、映像処理部６を介して、ディスプレイ装置７に表示される。装置の使用者は、その過去の番組リストより見逃した番組があるかを探し出すことが可能となる。
【００１９】
図２は、現在時刻より前の番組情報をもとに生成された過去７日分の番組リストの表示例である。この現在時刻より前の過去の番組リスト上から、見逃した番組（又は、録画しなかった、又は、再度視聴を希望する）があるかを探す。図３は、現在時刻より前の過去の番組リスト上から見逃した番組（又は、録画しなかった、又は、再度視聴を希望する）があった場合の表示例である。図３において、見逃した番組が、映画２１であった場合、その番組が表示されている箇所を選択指定することにより、仮予約（視聴仮予約又は録画仮予約）を行うことが可能となる。ここで、「仮予約」とは、装置の使用者が過去番組情報に基づいて設定した予約であり、予約動作の実行が未確定である（すなわち、視聴又は録画が実行されない場合がある）という意味で「仮」の文字を付している。仮予約は、仮予約番組の番組情報が所定の要件を満たす場合に、本予約（視聴本予約又は録画本予約）となる。ここで、「本予約」とは、予約動作の実行が確定した（すなわち、視聴又は録画が実行される）という意味で「本」の文字を付している。
【００２０】
仮予約番組の番組情報が要件を満たす場合は、例えば、仮予約番組の番組情報の中に再放送又は次回放送の日時情報があり、かつ、日時情報が現在時刻を過ぎていない場合である。
【００２１】
また、仮予約番組の番組情報が要件を満たす場合は、例えば、仮予約番組の指定時に既に取得済みの放送予定番組情報又は仮予約番組の指定後に取得した放送予定番組情報の中に、仮予約番組の番組情報と所定の共通点を持つ放送番組がある場合である。ここで、所定の共通点を持つ放送番組は、仮予約番組の番組タイトルを構成する文字列と一致する文字列（所定文字数以上の一致、連続する所定文字数以上の一致、又は、完全一致等）、を含む番組タイトルを持つ再放送番組、次回放送番組、又は、関連番組である。
【００２２】
図４は、仮予約設定処理を示すフローチャートである。このフローチャートをもとに、仮予約設定完了までの処理手順を説明する。
【００２３】
まず、リモコン１２に備えられている見逃し番組予約キーを押下することにより（ステップＳ１）、過去の番組情報により生成された過去番組リストがディスプレイ装置７に表示される（ステップＳ２）。
【００２４】
次に、装置の使用者は、その過去番組リストを閲覧し、以前に見逃した番組（又は、録画しなかった番組等）があるかを確認する（ステップＳ３）。その結果、以前見逃した番組が過去の番組リスト上になかった場合（ステップＳ４の判断が「なし」の場合）は、そのまま仮予約設定操作が終了される。過去の番組リスト上にあった場合（ステップＳ４の判断が「あり」の場合）は、その番組リスト上より見逃した番組を選択指定する。
【００２５】
次に、その見逃した番組の再放送又は次回放送に対して予約を視聴予約とするのか録画予約とするのかを選択する（ステップＳ６）。その選択結果、視聴仮予約（ステップＳ８）又は録画仮予約（ステップＳ７）の設定が選択され、仮予約設定が完了される（ステップＳ９）。
【００２６】
図５は、本予約設定処理を示すフローチャートである。このフローチャートをもとに、本予約設定完了までの処理手順を説明する。また、この処理は、仮予約設定完了後に実行される。
【００２７】
まず、仮予約番組の番組情報の中に、再放送又は次回放送に関する日時情報があるかがチェックされる（ステップＳ１２）。仮予約番組の番組情報の中に、再放送又は次回放送に関する日時情報があった場合、その日時情報は、現在時刻を過ぎていないかのチェックがさらに行われ（ステップＳ１３）、現在時刻を過ぎていない場合は、仮予約設定は本予約設定に更新され（ステップＳ１４）、装置の使用者に予約設定状況が更新されたことを通知するために、本予約更新完了通知のための内部メールが発行される（ステップＳ１５）。再放送又は次回放送に関する日時情報が現在時刻を過ぎていた場合は、現在時刻を過ぎていた番組の番組情報を自動検索のうえ再取得し、この現在時刻を過ぎていた放送番組を新たな仮予約番組とし（ステップＳ１６）、ステップＳ１２の処理を新たな仮予約番組について実行する。
【００２８】
次に、仮予約された番組の番組情報の中に再放送又は次回放送に関する日時情報があるかがチェックされた結果、再放送又は次回放送に関する日時情報がなかった場合は、現在時刻以降のすべての番組情報の中に同じ番組ジャンルで同じ番組タイトルの番組があるかを確認し（ステップＳ１７）、同じ番組タイトルの番組があれば、本予約設定に更新される（ステップＳ１４）。また、同じ番組タイトルの番組がなければ、その仮予約設定について、予め装置の使用者が設定していた仮予約保持期限を過ぎているかのチェックを行い（ステップＳ１８）、仮予約保持期限が過ぎていれば、その保持期限を過ぎた仮予約情報を削除する（ステップＳ１９）。また、仮予約保持期限が過ぎていなければ、番組情報の新たな更新があるまで待ち（ステップＳ２１）、番組情報が新たに再取得され更新された後に、ステップＳ１７の処理から実行し直す。例えば、仮予約保持期限を１ヶ月と設定すれば、仮予約時点から１ヶ月間、仮予約情報が装置に保持される。
【００２９】
以上に説明したように、本実施の形態の放送番組予約方法又は放送番組予約装置によれば、見逃してしまった番組の関連番組（例えば、再放送番組、次回放送番組、又は、同じタイトル名の番組）に対する視聴仮予約又は録画仮予約を行うことによって、視聴本予約又は録画本予約への自動更新設定が行われるので、過去に放送された番組の関連番組の予約を容易に行うことができる。
【図面の簡単な説明】
【００３０】
【図１】本発明の実施の形態に係る放送番組予約方法を実行することができるデジタル放送受信装置（すなわち、本発明の実施の形態に係る放送番組予約装置を含むデジタル放送受信装置）の構成を示すブロック図である。
【図２】本実施の形態において、デジタル放送受信装置に表示された過去番組リストのグラフィック表示の例を示す図である。
【図３】本実施の形態において、デジタル放送受信装置に表示された過去番組リストのグラフィック表示の例（過去放送番組を選択して仮予約した場合）を示す図である。
【図４】本実施の形態に係る放送番組予約方法における仮予約設定の処理手順を示すフローチャートである。
【図５】本実施の形態に係る放送番組予約方法における本予約設定の処理手順を示すフローチャートである。
【符号の説明】
【００３１】
１  アンテナ入力部、  ２  復調処理部、  ３  デスクランブル・デバルチプレクサ処理部、  ４  映像・音声デコード処理部、  ５  グラフィック生成・処理部、  ６  映像処理部、  ７  ディスプレイ装置、  ８  音声処理部、  ９  スピーカ、  １０  第１の記憶部、  １１  第２の記憶部、  １２  主制御部、  １３  計時処理部、  １４  自己発行メール処理部、  １５  リモコン受信処理部、  １６  リモコン。
【図１】
2006279120.tif 000003
【図２】
2006279120.tif 000004
【図３】
2006279120.tif 000005
【図４】
2006279120.tif 000006
【図５】
2006279120.tif 000007